(57)【要約】      （修正有）【課題】構成が簡単な空気清浄化・滅菌・温度調節機能付デバイスを提供する。【解決手段】空気浄化・滅菌・温度調節機能付デバイスは、ケースと、取付板２と、熱伝導装置６と、半導体冷却パッド７と、滅菌装置１１とを含む。ケースの底部の中心位置に熱放散穴が開設されており、取付板２の底部の中心位置に熱伝導装置６が設けられており、熱伝導装置６の底部に半導体冷却パッド７が固定取付されており、熱伝導装置６の内部に貫通穴が開設されている。熱伝導装置６の両側にそれぞれ排気チューブ１０と滅菌装置１１が固定取付されており、滅菌装置１１の一端に進気ファン１３が固定取付されており、熱伝導装置６の一側に排气穴が開設されており、排气穴は、取付板２に設置されており、取付板２は取付穴１４によってケースの上部に取付されており、排気チューブ１０の内部にセンサー１７が取付されている。【選択図】図３
0003231604.tif 000002
【実用新案登録請求の範囲】
【請求項１】
空気浄化・滅菌・温度調節機能付デバイスであって、ケース１と、取付板２と、熱伝導装
置６と、半導体冷却パッド７と、滅菌装置１１とを含み、前記ケース１の底部の中心位置
に熱放散穴５が開設されており、前記取付板２の底部の中心位置に熱伝導装置６が設けら
れており、前記熱伝導装置６の底部に半導体冷却パッド７が固定取付されており、前記熱
伝導装置６の内部に貫通穴１６が開設されており、前記熱伝導装置６の両側にそれぞれ排
気チューブ１０と滅菌装置１１が固定取付されており、前記滅菌装置１１の一端に進気フ
ァン１３が固定取付されており、前記熱伝導装置６の一側に排气穴１５が開設されており
、前記排气穴１５は取付板２に設置されており、前記取付板２は取付穴１４によってケー
ス１の上部に取付されており、前記排気チューブ１０の内部にセンサー１７が取付されて
いる、ことを特徴とする空気浄化・滅菌・温度調節機能付デバイス。
【請求項２】
前記ケース１の両側に進気口３が開設されており、前記進気ファン１３が進気口３の一側
に設置されている、ことを特徴とする請求項１に記載の空気浄化・滅菌・温度調節機能付
デバイス。
【請求項３】
前記取付板２と熱伝導装置６とが一体的に成形されている、ことを特徴とする請求項１に
記載の空気浄化・滅菌・温度調節機能付デバイス。
【請求項４】
前記半導体冷却パッド７の底部に熱放散器８が固定取付されており、前記熱放散器８の底
部にネジによって熱放散扇風機９が固定取付されており、前記熱放散扇風機９が熱放散穴
５の直上方に設置されている、ことを特徴とする請求項１に記載の空気浄化・滅菌・温度
調節機能付デバイス。
【請求項５】
前記滅菌装置１１の内部にＵＶ消毒灯１２が固定取付されている、ことを特徴とする請求
項１に記載の空気浄化・滅菌・温度調節機能付デバイス。
【請求項６】
前記ケース１の前方側の中心位置に取付溝４が開設されており、前記取付溝４の内部に制
御スイッチが取付されており、前記制御スイッチが、ワイヤを介して半導体冷却パッド７
、熱放散扇風機９、ＵＶ消毒灯１２、進気ファン１３、およびセンサー１７に電気接続さ
れている、ことを特徴とする請求項１に記載の空気浄化・滅菌・温度調節機能付デバイス
。 
【考案の詳細な説明】
【技術分野】
【０００１】
本考案はペットの巣の温度制御の技術分野に関し、特に空気浄化・滅菌・温度調節機能付
デバイスに関する。
【背景技術】
【０００２】
ペットを飼う人が多くなるにつれて、飼育者の安全性を向上させるために、通常ペットを
ペットの巣の中で飼っている。既存のペットの巣のスペースは小さい。相対的に閉鎖され
ている。ペットの巣の内部は細菌が繁殖しやすく、臭いが発生し、周囲の環境に影響を与
える。飼育者は時間と精力を費やしてペットの巣を消毒する。使用者の仕事の負担を増加
させ、そしてペットの巣は温度調節機能を持たないので、異なったペットの使用要求を満
たすことができない。特に冬と夏はペットの正常な生活に影響する。
【０００３】
このため、本実用新案は空気浄化・滅菌・温度調節機能付デバイスを提供する。
【考案の概要】
【０００４】
従来技術における欠点に対して、本実用新案が提供する本空気浄化・滅菌・温度調節機能
付デバイスは、制御スイッチによって半導体冷却パッド７の冷却と加熱を制御することが
できるので、ペット巣内の降温と加熱を実現している。このようにして、ペットのくらし
が快適にやられる。また、取付板２と熱伝導装置６により熱伝導の効率を向上できるので
、電力損失を低減することができる。ＵＶ消毒灯１２によってペット巣内のエア浄化を行
うことができるので、ペット巣内の空気質量が向上し、細菌防止が可能できている。した
がって、本空気浄化・滅菌・温度調節機能付のデバイスは、構成が簡単で、使用が容易で
ある。
【０００５】
上記課題を解決するために、本考案が採用する技術案は以下のとおりである。
空気浄化・滅菌・温度調節機能付デバイスは、ケース１と、取付板２と、熱伝導装置６と
、半導体冷却パッド７と、滅菌装置１１とを含み、前記ケース１の底部の中心位置に熱放
散穴５が開設されており、前記取付板２の底部の中心位置に熱伝導装置６が設けられてお
り、前記熱伝導装置６の底部に半導体冷却パッド７が固定取付されており、前記熱伝導装
置６の内部に貫通穴１６が開設されており、前記熱伝導装置６の両側にそれぞれ排気チュ
ーブ１０と滅菌装置１１が固定取付されており、前記滅菌装置１１の一端に進気ファン１
３が固定取付有されており、前記熱伝導装置６の一側に排气穴１５が開設されており、前
記排气穴１５は、取付板２に設置されており、前記取付板２は取付穴１４によってケース
１の上部に取付されており、前記排気チューブ１０の内部にセンサー１７が取付されてい
る。
【０００６】
好ましい実施例として、前記ケース１の両側に進気口３が開設されており、前記進気ファ
ン１３が進気口３の一側に設置されている。
【０００７】
好ましい実施例として、前記取付板２と熱伝導装置６とが一体的に成形されている。
【０００８】
好ましい実施例として、前記半導体冷却パッド７の底部に熱放散器８が固定取付されてお
り、前記熱放散器８の底部にネジによって熱放散扇風機９が固定取付されており、前記熱
放散扇風機９が熱放散穴５の直上方に設置されている。
【０００９】
好ましい実施例として、前記滅菌装置１１の内部にＵＶ消毒灯１２が固定取付されている
。
【００１０】
好ましい実施例として、前記ケース１の前方側の中心位置に取付溝４が開設されており、
前記取付溝４の内部に制御スイッチが取付されており、前記制御スイッチが、ワイヤを介
して半導体冷却パッド７、熱放散扇風機９、ＵＶ消毒灯１２、進気ファン１３、およびセ
ンサー１７に電気接続されている。
【００１１】
本実用新案の有利な効果は以下の通りである。本実用新案が提供する本空気浄化・滅菌・
温度調節機能付デバイスは、制御スイッチによって半導体冷却パッド７の冷却と加熱を制
御することができるので、ペット巣内の降温と加熱を実現している。このようにして、ペ
ットのくらしが快適にやられる。また、取付板２と熱伝導装置６により熱伝導の効率を向
上できるので、電力損失を低減することができる。ＵＶ消毒灯１２によってペット巣内の
エア浄化を行うことができるので、ペット巣内の空気質量が向上し、細菌防止が可能でき
ている。したがって、本空気浄化・滅菌・温度調節機能付のデバイスは、構成が簡単で、
使用が容易である。
【図面の簡単な説明】
【００１２】
【図１】本実用新型の空気浄化・滅菌・温度調節機能付デバイスの頂部からみた構造図である。
【図２】本考案の空気浄化・滅菌・温度調節機能付デバイスの底部からみた概略図である。
【図３】本考案の空気浄化・滅菌・温度調節機能付デバイスの部分構成図である。
【図４】本考案の空気浄化・滅菌・温度調節機能付デバイスの取付板の構図を示す図である。
【図５】本考案の空気浄化・滅菌・温度調節機能付デバイスの取付板の構造の断面図である。
【００１３】
［符号の説明］
ケース  １
取付板  ２
進気口  ３
取付溝  ４
熱放散穴  ５
熱伝導装置  ６
半導体冷却パッド  ７
熱放散器  ８
熱放散扇風機  ９
排気チューブ  １０
滅菌装置  １１
ＵＶ消毒灯  １２
進気ファン  １３
取付穴  １４
排气穴  １５
貫通穴  １６
センサー  １７
【考案を実施するための形態】
【００１４】
本実用新案が実現するための技術手段、創作特徴、目的と効果が明確に説明するために、
以下に図面及び実施例を参照して本考案について詳細に説明する。
【００１５】
図１〜５は、本考案にかかる空気浄化・滅菌・温度調節機能付デバイスを示している。該
デバイスは、ケース１と、取付板２と、熱伝導装置６と、半導体冷却パッド７と、滅菌装
置１１とを含んでいる。前記ケース１の底部の中心位置に熱放散穴５が開設されている。
前記取付板２の底部の中心位置に熱伝導装置６が設けられている。前記熱伝導装置６の底
部に半導体冷却パッド７が固定取付されている。前記熱伝導装置６の内部に貫通穴１６が
開設されている。前記熱伝導装置６の両側にそれぞれ排気チューブ１０と滅菌装置１１が
固定取付されている。前記滅菌装置１１の一端に進気ファン１３が固定取付有されている
。前記熱伝導装置６の一側に排气穴１５が開設されている。前記排气穴１５は、取付板２
に設置されている。前記取付板２は取付穴１４によってケース１の上部に取付されている
。前記排気チューブ１０の内部にセンサー１７が取付されている。本デバイスは、構成が
簡単で、使用が容易で、かつ実用性が高いというメリットを有している。
【００１６】
また、本実用新案の好ましく実施例として、前記ケース１の両側に進気口３が開設されて
いる。前記進気ファン１３が進気口３の一側に設置されている。これによってペットハウ
ス外からエアを取り入れることができる。
【００１７】
また、本実用新案の好ましく実施例として、前記取付板２と熱伝導装置６とが一体的に成
形されている。取付板２および熱伝導装置６によって、熱伝導の効率を向上し、電力消費
を減少し、省エネルギー化できる。
【００１８】
また、本実用新案の好ましく実施例として、前記半導体冷却パッド７の底部に熱放散器８
が固定取付されている。前記熱放散器８の底部にネジによって熱放散扇風機９が固定取付
されている。前記熱放散扇風機９が熱放散穴５の直上方に設置されている。これによって
半導体冷却パッド７の熱放散を実現できるし、使いやすくさせる。
【００１９】
また、本実用新案の好ましく実施例として、前記滅菌装置１１の内部にＵＶ消毒灯１２が
固定取付されている。これによって空気浄化と滅菌を実現でき、ペット巣の除臭が可能で
ある。
【００２０】
また、本実用新案の好ましく実施例として、前記ケース１の前方側の中心位置に取付溝４
が開設されている。前記取付溝４の内部に制御スイッチが取付されている。前記制御スイ
ッチが、ワイヤを介して半導体冷却パッド７、熱放散扇風機９、ＵＶ消毒灯１２、進気フ
ァン１３、およびセンサー１７に電気接続されている。これによってペット巣内の空気浄
化、滅菌、および温度調節を実現している。
【００２１】
さらに、本考案の空気浄化・滅菌・温度調節機能付デバイスの使用および動作について説
明する。本デバイスを、ケース１にて、取付板２がペット巣の底部側となるようにペット
巣の底部に組み立てる。そして、取付板２の上部に、ペットとの直接接触を回避するため
に、ペットクッションを敷く。また、制御スイッチは、ワイヤを介して外部電源と電気接
続されているが、ペット巣内を降温する場合、制御スイッチによって進気ファン１３、半
導体冷却パッド７、熱放散扇風機９、ＵＶ消毒灯１２およびセンサー１７を起動する。半
導体冷却パッド７における熱伝導装置６との接触側の面においては、冷却を行い、半導体
冷却パッド７における他方の面においては、加熱を行う。熱放散扇風機９は、熱放散器８
によって半導体冷却パッド７で発生する熱を放散させることによって、熱伝導装置６と取
付板２の温度を降温させる。同時に、進気ファン１３によって進気口３からエアを取り入
れ、ＵＶ消毒灯１２によって消毒し、そして貫通穴１６内へ侵入させ、さらに、熱伝導装
置６の稼働によって降温させ、排気穴１５からペット巣内へ排気させるように動作する。
一方、昇温する場合は、制御スイッチによって半導体冷却パッド７における熱伝導装置６
との接触側の面において熱を発生させ、この熱を熱伝導装置６によって取付板２へ伝導す
るとともに、エアを加熱し、加熱エアを排気穴１５からペット巣内へ排気させるように動
作する。このように本空気浄化・滅菌・温度調節機能付デバイスは、制御スイッチによっ
て半導体冷却パッド７の冷却と加熱を制御することができるので、ペット巣内の降温と加
熱を実現している。このようにして、ペットのくらしが快適にやられる。また、取付板２
と熱伝導装置６により熱伝導の効率を向上できるので、電力損失を低減することができる
。ＵＶ消毒灯１２によってペット巣内のエア浄化を行うことができるので、ペット巣内の
空気質量が向上し、細菌防止が可能できている。したがって、本空気浄化・滅菌・温度調
節機能付のデバイスは、構成が簡単で、使用が容易である。
【００２２】
また、本明細書は実施形態に従って説明されているが、各実施形態には一つの独立した技
術案のみが含まれるわけではなく、明細書のこのような説明は明確にするためだけであり
、当業者は明細書を一つの全体とし、各実施の形態における技術案は、他の実施形態を適
切に組み合わせて形成することができることを当業者は理解できる。
【図１】
0003231604.tif 000003
【図２】
0003231604.tif 000004
【図３】
0003231604.tif 000005
【図４】
0003231604.tif 000006
【図５】
0003231604.tif 000007